(57)【特許請求の範囲】
【請求項１】
遊技盤の前面側に形成された遊技領域に設けられる弾球遊技機用遊技部品であって、
図柄表示装置の図柄表示を視認するための図柄表示領域透視部と、
遊技球が転動可能なステージ部の中央に設けられ、前記遊技球の直径より大きい内径を有する球導入口と、
該球導入口に前記遊技球を導くステージ部導入路と、
前記球導入口の中心位置に突設され、前記ステージ部導入路により前記球導入口に導かれた全ての遊技球を前記ステージ部の左右に振分け可能な半球形状の左右振分け突起部と、
該左右振り分け突起部を頂点として左右方向に下がり勾配の傾斜路とが設けられた振り分け手段案内部と、
該振分け手段案内部の左右振分け突起部により左右に振分けられた遊技球を、前記遊技領域に設けられた特定の入賞口に入賞し易い特定流路と該特定流路より前記特定の入賞口に入賞し難い一般流路とに振分け可能な振分け手段と、
を備え、該振分け手段は、
左右に設けられ、前記特定流路へ案内する特定流路案内部と前記一般流路へ案内する一般流路案内部とを有する回転振分け部材と、
該回転振分け部材を回転させる回転振分部材駆動手段と、
を備えていることを特徴とする弾球遊技機用遊技部品。
【発明の詳細な説明】
【技術分野】
【０００１】
本発明は、パチンコ遊技機等の弾球遊技機の遊技部品に関し、特に、遊技球が通過可能な球流路とその球流路を通過した遊技球が転動可能なステージ部とを備えた弾球遊技機用遊技部品に関する。
【背景技術】
【０００２】
従来、図柄表示装置を備えたパチンコ遊技機が広く親しまれている。この種の図柄表示装置付きパチンコ遊技機では、遊技盤前面の遊技領域に設けられた始動入賞口に遊技球が入賞することを契機として、図柄表示装置において所要の図柄変動表示がなされ、その図柄の停止態様に応じて遊技者に有利な遊技状態が付与されるようになっている。このように、図柄表示装置付きのパチンコ遊技機では、始動入賞口への遊技球の入賞を契機とした図柄表示装置における図柄変動態様又は図柄停止態様が遊技の主たる興趣となっているため、近年では、図柄表示装置の大型化が進んでいる。
【０００３】
しかしながら、図柄表示装置が大型化すると、遊技領域の大部分が図柄表示装置及びその周囲に配置された遊技部品により占有され、始動入賞口への遊技球の入賞ルートが制限されてしまうため、遊技球の転動を楽しむというパチンコ遊技機本来の遊技性を喪失させるおそれがあった。
【０００４】
そのため、遊技部品に、遊技球が通過可能な球流路とその球流路を通過した遊技球が転動可能なステージ部とを設け、球流路からステージ部を通って始動入賞口へ入賞する遊技球の新たな入賞ルートを備えたパチンコ遊技機が提案されており、さらに最近では、遊技球を高い確率で始動入賞口に入賞させる特定の流路をステージ部に形成させたパチンコ遊技機が提案されている（例えば、特許文献１，２参照）。
【０００５】
【特許文献１】特開２００１−７０５３７号公報
【特許文献２】特許第３２３１９８０号
【発明の開示】
【発明が解決しようとする課題】
【０００６】
しかしながら、このようにステージ部に特定の流路を形成させたパチンコ遊技機では、遊技機の前後方向への傾斜角度に応じて特定の流路に案内される割合が変化してしまうといった問題があった。すなわち、パチンコ遊技機は、通常、４分５厘（約１度）の後傾角で遊技島に設置されるようになっており、その設置角度の調整は、人間の手作業で行われることが多いため、各遊技機毎に設置角度にばらつきが生じ、ステージ部の傾斜角度が遊技機毎に変化し、特定の流路へ案内する割合が設計値から大きく外れるおそれがあった。そのため、出球率を調整することが難しく、例えば、設計値に対して特定の流路へ案内する割合の高い遊技機では、遊技釘を調整したとしても始動入賞口への入賞率を下げることが難しく、遊技店に営業上の損害を与えるおそれがあるといった問題があった。
【０００７】
本発明は、上記した課題を解決すべくなされたものであり、遊技機の設置角度により始動入賞口への入賞率が変化することがなく、出球率の調整が容易な弾球遊技機を提供するものである。
【課題を解決するための手段】
【０００８】
本発明は、遊技盤１の前面側に形成された遊技領域３に設けられる弾球遊技機用遊技部品８であって、図柄表示装置４の図柄表示を視認するための図柄表示領域透視部９と、遊技球２６が転動可能なステージ部２４の中央に設けられた球導入口２９に遊技球２６を導くステージ部導入路１９と、球導入口２９の中心位置に突設され、ステージ部導入路１９により球導入口２９に導かれた全ての遊技球２６をステージ部２４の左右に振分け可能な左右振分け突起部３９と、左右振分け突起部３９により左右に振分けられた遊技球２６を、遊技領域３に設けられた特定の入賞口１２に入賞し易い特定流路４８，４９，５０，５１と該特定流路より特定の入賞口１２に入賞し難い一般流路６７とに振分け可能な振分け手段３３とを備え、振分け手段３３は、左右に設けられ、特定流路４８，４９，５０，５１へ案内する特定流路案内部４６と一般流路６７へ案内する一般流路案内部４７とを有する回転振分け部材４３と、回転振分け部材４３を回転させる回転振分部材駆動手段４４とを備えていることを特徴とする。
【発明の効果】
【０００９】
本発明によれば、前記ステージ部に導かれた遊技球は、前記振分け手段により前記特定流路と一般流路のいずれかに確実に振分けられため、弾球遊技機の設置角度により出球率がばらつくことがなく、出球率の調整が容易となる。
【００１０】
また、左右振分け突起部が前記ステージの中央に設けられた球導入口の中心位置に設けられており、前記ステージ部に流入した全ての遊技球を左右に均等に振分けることができるため、前記ステージ部の左右両側のスペースを有効に利用することができる等、種々の優れた効果を得ることができる。
【発明を実施するための最良の形態】
【００１１】
以下、図面を参照しつつ、本発明の実施の形態について説明する。
【００１２】
図１は本実施の形態におけるパチンコ遊技機の遊技盤１の正面図を示しており、図２は遊技盤１の背面図を示している。遊技盤１の前面には、遊技盤１の下方に設けられた発射レール１８の延長上にガイドレール２が環状に取付けられ、ガイドレール２の内側に遊技領域３が形成されている。遊技領域３には、その略中央部に図柄表示装置４が配置され、図柄表示装置４には、正面左側から左図柄５、中図柄６、右図柄７が表示されるようになっている。図柄表示装置４の周りには遊技部品８が設けられ、遊技部品８には、図柄表示装置４の各図柄５，６，７を視認可能なように矩形状の図柄表示領域透視部９が形成され、図柄表示領域透視部９の周りに複数（図示では４個）のランプ演出装置１０ａ〜１０ｄが配設され、正面左側上部には４個の保留ランプ１１が設けられている。そして、遊技部品８の下方の遊技領域３には、始動入賞口１２及び大入賞口１３等が配置され、始動入賞口１２には始動入賞検出スイッチ１４が取付けられ、大入賞口１３には特定領域（Ｖゾーン）と一般領域とが区画形成され、その特定領域には特定領域通過検出スイッチ１５が取付けられている。また、遊技盤１の後面には、ランプ演出装置１０のＬＥＤランプ基板１６が設けられ、ＬＥＤランプ基板１６はコネクタ１７を介してランプ制御基板（図示せず）に接続されている。
【００１３】
次に、図１〜図７を参照しつつ、遊技部品８について説明する。
【００１４】
遊技部品８は、ベース部材２１の周縁部に設けられた所要数の取付孔２２を介して遊技盤１にネジ止めされるようになっており、正面左側のランプ演出装置１０ｃの前方に鉛直方向に形成された球流路２３と、図柄表示領域透視部９の下方に形成されたステージ部２４とを備えている。球流路２３の上部には、図柄表示領域透視部９の正面左側上部に隣接して球入口２５が設けられ、球入口２５には正面左側斜め上方から遊技球２６が流入可能となっている。また、球流路２３の下部には球出口２７が設けられ、球出口２７は図柄表示装置４を臨む正面左側下部側面２８に開口されている。球出口２７からは、ステージ部２４の中央の球導入口２９に掛けて導入路３０が渡設され、導入路３０は球導入口２９に向かって下り勾配で傾斜している。導入路３０は１本の針金状部材を平行なレール状に折返すことにより形成され、その折返し部３１は環状を成し、導入路３０のレール幅は遊技球２６の直径より小さくなっている。この場合、導入路３０は、図１によく示されているように、図柄表示領域透視部９の正面左側下部の前方に位置しており、図柄表示領域透視部９と一部重なるが、針金状部材により形成されているため、図柄表示装置４の図柄表示の視認を妨げるおそれはない。このように、遊技部品８には、球流路２３と導入路３０によりステージ部導入路１９が形成され、ステージ部導入路１９により球入口２５に入球した遊技球２６がステージ部２４に導かれるようになっている。なお、導入路３０の構成は、上記した構成に限定されるものではなく、３本の針金状部材を使用し、Ｖ溝状に形成させる等、各種変更が可能である。
【００１５】
ステージ部２４は、ステージ部導入路１９により導かれた遊技球２６を振分け手段３３に導く振分け手段案内路３２と、振分け手段案内路３２により導かれた遊技球２６を始動入賞口１２に入賞し易い特定流路と該特定流路より始動入賞口１２に入賞し難い一般流路とに振分け可能な振分け手段３３とを備えている。
【００１６】
振分け手段案内路３２は、中央部から両端部に向かって前後方向に幅広に形成され、左右対称形状を成しており、導入路３０の終端に連結される球導入口２９と、左右の振分け手段３３に遊技球２６を案内する振分け手段案内部２０とを主体に形成されている。
【００１７】
球導入口２９は、前後一対の球導入口基部３４を有し、前後の球導入路基部３４が遊技球２６の通過を許容し得る間隔を有して振分け手段案内路２０の略中央部に立設されている。
【００１８】
また、球導入口基部３４の上部には、前後の球導入路基部３４に亘って平面視逆Ｃ字状の球導入口案内部３５が遊技球２６の通過を許容し得る内径を有して導入路３０の終端と連結するように形成され、さらに、球導入口案内部３５の球出口２７と対向する位置に導入路３０より上方に突出するように球受け部３６が形成されており、球導入口３０から確実に球導入口２９に遊技球２６を落下案内するようになっている。
【００１９】
球導入口２９の外側には導入路支持部３７がそれぞれ前後に突出して形成され、導入路支持部３７上に導入路３０の折返し部３１が支持されるようになっている。また、球受け部３５の外側には、導入路掛止部３８が正面右側に突出して形成され、導入路掛止部３８の下部に導入路３０の折返し部３１が掛止されるようになっている。したがって、導入路３０は、折返し部３１が導入路支持部３７に支持されると共に導入路掛止部３８に掛止されることにより、球導入口２９に取付けられるようになっている。
【００２０】
振分け手段案内部２０には、球導入口２９の中心に対応する位置に半球形状の左右振分け突起部３９が突設されていると共に、左右振分け突起部３９を頂点として左右方向に僅かに下り勾配の傾斜路４０が形成されている。このため、球導入路２９から落下した球が左右振分け突起部３９により左右の傾斜路４０に略均等に案内されるようになっている。また、振分け手段案内部２０には、傾斜路４０の前端に、落下する遊技球２６の前方への落下を阻止する落下防止壁４１が立設されており、球導入口２９から流下した全ての遊技球２６が傾斜路４０により振分け手段３３へ案内されるようになっている。傾斜路４０は、球導入口２９と対応する略中央部を最後方として湾曲して形成されており、左右の両端部が後述する回転流路４８の外周に合致するように半円状に切欠き形成されている。そして、傾斜路４０の端部背面（振分け手段案内路３２の背面）にはそれぞれ位置決め突条部４２が形成されており、位置決め突条部４２は回転流路４８の外周に嵌設するようになっている。
【００２１】
振分け手段３３は、ステージ部２４の両側においてそれぞれ回転可能に設けられた略円盤形状の左右一対の回転振分け部材４３と、回転振分け部材４３を回転させる回転振分け部材駆動手段４４とを備えており、回転振分け部材４３の下面中心部には回転支軸４５が突設されている。回転振分け部材４３には１個の球通過孔４６と４個のポケット部４７がそれぞれ放射状に配置され、球通過孔４６及び各ポケット部４７はそれぞれ、遊技球２６を誘い込み易いようにＵ字状平面を成し、ポケット部４７は溝状に形成されている。そして、球通過孔４６は遊技球２６を特定流路へ案内する特定流路案内部として機能し、ポケット部４７は遊技球２６を一般流路へ案内する一般流路案内部として機能するようになっている。
【００２２】
前記特定流路は、左右の回転振分け部材４１の下方において碗状に形成された回転流路４８と、各回転流路４８の後方からそれぞれステージ部２４の中央に向かって下り勾配で傾斜する左右の直線流路４９と、左右の各直線流路４９の間に形成された球落下孔５０と、球落下孔５０に連通し、前方に僅かに傾斜して形成された排出口５１とから構成されており、排出口５１は特定の入賞口である始動入賞口１２の真上に位置するようになっている。回転流路４８の中心部には円筒形状の回転支軸受け部５２が突設され、回転子軸受け部５２を回転振分け部材４３の回転支軸４５が挿通するようになっている。また、回転流路４８は、直線流路４９への出口部分５３に向かって傾斜しており、回転支軸受け部５２を挟んで出口部分５３の反対側部分が最も高くなるように形成されている。さらに、直線流路４９には前端部に沿って球落下防止壁５４が形成され、球落下孔５０と排出口５１の内面にはそれぞれ遊技球２６の流下方向に沿って２本のレール部５５が平行に突設されている。
【００２３】
前記一般流路は、回転流路４８の両側の外周に沿って耳状に凹設された排出路６７から構成されている。排出路６７はポケット部４７と同一高さに形成されていると共に、前下り勾配で傾斜して形成されており、遊技球２６がポケット部４７から排出路６７を経由して始動入賞口１２に向かって落下可能なように形成されている。
【００２４】
また、振分け手段案内路３２の下方で直線流路４９の前方にはサブステージ５６が形成されており、サブステージ５６は両端部から中央部５７に向かって下り勾配で傾斜している。また、サブステージ５６の前端部には、中央部５７を除いて、球落下防止壁５８が立設され、サブステージ５６の中央部５７は僅かに前方に傾斜している、さらに、サブステージ５６の中央部５７の後方には球落下孔５０に向かって傾斜する球落下孔案内部５９が形成されている。
【００２５】
回転振分け手段駆動手段４４は、金属板製のベース部材６０を介してステージ部２４の下面側にネジ止めされるようになっており、ベース部材６０には、モータ６１と、モータ６１の回転軸６４に嵌設する駆動ギア６５及び互いに歯合する複数（図示では１１個）のギア６２ａ〜６２ｋから成る駆動伝達機構６３とが設けられている。モータ６１はベース部材６０の正面右側端部上に取付けられ、モータ６１の回転軸６４はベース部材６０を下方に貫通し、駆動ギア６５は駆動伝達機構６３の正面右側のギア６２ｋと歯合している。駆動伝達機構６３のギア６２ｃ〜６２ｋはベース部材６０の駆動伝達機構収容部６６に回転自在に軸着され、駆動伝達機構収容部６６には金属板が対向して設けられているため、ギア６２ｃ〜６２ｋが駆動伝達機構収容部６６から脱落しないようになっている。駆動伝達機構６３の前側の２個のギア６２ａ，６２ｂは、それぞれ左右の回転振分け部材４３の下方に配置され、回転振分け部材４３の回転支軸４５に嵌設されており、回転振分け部材４３と一体に回転可能となっている。この場合、回転振り分け部材４３の下方に配置された２個のギア６２ａ，６２ｂの間には、偶数個（８個）のギア６２ｃ〜６２ｊが介装されているため、左右の回転振分け部材４３は互いに反対方向に回転するようになっている。また、左右の回転振分け部材４３は、略同一回転速度で回転し、図４に示すように、一方の球通過孔４６が遊技球２６を受け入れ可能なように内側を向いている時には他方の球通過孔４６は遊技球２６を受け入れないように外側を向くように設定されている。したがって、遊技者は止め打ちにより球通過孔４６を狙うことをできなくなり、遊技の偶発性を高めることができる。
【００２６】
次に、主に図１及び図８〜１０を参照しつつ、本実施の形態に係るパチンコ遊技機の動作について説明する。
【００２７】
遊技者により弾球された遊技球２６が遊技領域３を落下する過程において、球入口２５に入球すると、遊技球２６は球流路２３内を通過し、球出口２７から導入路３０を転動し、球導入口２９内に入球する。
【００２８】
球導入口２９内に入球した遊技球２６は左右振分け突起部３９に落下し、左右振分け突起部３９により左右のいずれかの方向に振分けられる。この時、球導入口基部３４の前後離間距離及び球導入口案内部３５の内径がいずれも遊技球２６の直径より大きいため、遊技球２６は左右振分け突起部３９に対して左右のいずれかに偏った位置で落下し、左右振分け突起部３９に落下した遊技球２６は左右いずれかの方向に確実に振分けられる。また、左右振分け突起部３９は球導入口２９の中心に配置され、半球状に形成されているため、遊技球２６は左右に均等に振分けられる。
【００２９】
左右振分け突起部３９によって左右に振分けられた遊技球２６は、傾斜路４０に沿って回転振り分け部材４３に向かって転動し、例えば、図１０（ａ）の左側に示されているように球通過孔４６に入球し、回転流路４８に落下する。この時、モータ６１及び駆動ギア６５の回転が駆動ギア６５に順次歯合する複数のギア６２ｃ〜６２ｊを介してギア６２ａ及び６２ｂに伝達されることにより、左右の各回転振分け部材４３はそれぞれ略同一速度で、互いに反対方向に回転している。
【００３０】
また、回転流路４８に落下した遊技球２６は、図１０（ｂ）の左側に示されているように、回転流路４８から直線流路４９に転動し、球落下孔５０に入球後、球落下孔５０及び排出口５１内のレール部５５に沿って転動し、排出口５１から遊技領域３に排出される。そして、排出口５１から排出された遊技球２６は、排出口５１が始動入賞口１２の真上に位置しているため、極めて高い確率で始動入賞口１２に入賞する。このように、前記特定流路を通過した遊技球２６は、極めて高い確率で始動入賞口１２に入賞可能となる。
【００３１】
なお、図１０（ａ）では、説明の便宜上、左側の球通過孔４６が遊技球２６を受け入れ可能なように内側を向いている時に右側の球通過孔４６が内側斜め前方を向くように描かれているが、実際には、図４に示すように、左側の球通過孔４６が遊技球２６を受け入れ可能なように内側を向いている時には右側の球通過孔４６は外側を向くように設定されている。
【００３２】
一方、図１０（ａ）の右側に示されているように、ポケット部４７に入球した遊技球２６は、ポケット部４７に保持された状態で回転振り分け部材４３と共に回転し、ポケット部４７が排出路６７と接すると、ポケット部４７内の遊技球２６は排出路６７に放出される。そして、その遊技球２７は、排出路６７から始動入賞口１２に向かって遊技領域３に排出される。このように、前記一般流路を通過した遊技球２６は、前記特定領域を通過した場合よりは低い確率で始動入賞口１２に入賞するようになる。
【００３３】
以上のように、遊技球２６がステージ部２４に導かれた場合、球導入口２９には球出口２７に対向するように球受け部３６が形成されているため、導入路３０を転動してきた遊技球２６が球受け部３６を飛び越えるおそれはなく、球導入口２９内に確実に入球し、また、振分け手段案内路３２には球落下防止壁４１が形成されているため、遊技球２６は回転振分け部材４３の球通過孔４６又はポケット部４７のいずれかに確実に入球する。そのため、ステージ部２４に流入した全ての遊技球２６は、回転振分け部材４３に形成された球通過孔４６とポケット部４７の設置比率に応じて前記特定流路と一般流路のいずれかに確実に振分けられる。さらに、直線流路４９の前端部には球落下防止壁５４が形成されているため、前記特定流路に進入した遊技球２６は、前記特定流路から外れることなく、排出口５１から確実に排出される。したがって、パチンコ遊技機の遊技島への設置角度がばらついたとしても、前記特定流路と一般流路への入球割合が変化することはなく、釘の調整がし易く、出球率の調整が容易となる。また、ステージ部２４に流入した全ての遊技球２６が左右振り分け突起部３９により均等に左右に振分けられるようになっているため、ステージ部２４の左右両側のスペースを有効に利用することができる。
【００３４】
また、本実施の形態においては、ステージ部２４に１個の遊技球２６が流入した場合は始動入賞口１２への入賞率が変化することはないが、連続して遊技球２６の流入があった場合は先にステージ部２４に流入した遊技球２６がポケット部４７に貯留されているため、２個目以降の遊技球２６の始動入賞口１２への入賞率は変化する。これにより、遊技者は止め打ちにより球通過孔４６を狙うことをできなくなり、遊技の偶発性を高めることができる。なお、このように入賞口が変化することを嫌う場合には、ポケット部４７に流入した遊技球２６を直ぐに一般流路に案内するような構成にしてもよい。
【００３５】
また、図１０（ａ）に良く示されているように、振分け手段案内路３２の中央部が後退しているため、弾球された遊技球２６が、直接、サブステージ５６に落下する場合もある。そして、サブステージ５６に落下した遊技球２６は、サブステージ５６の中央部５７から前方に落下したり、或いは、球落下孔案内部５９を介して球落下孔５０に落下後、排出口５１から排出されたりする。この場合には、サブステージ５６の中央部５７及び排出口５１がいずれも始動入賞口１２の真上に位置しているため、遊技球２６は高い確率で始動入賞口１２に入賞可能となる。
【００３６】
このように、遊技球２６が、球入口２５に入球後に前記特定流路又は前記一般流路を通って、或いは、球入口２５に入賞することなくサブステージ５６を介して、或いは、直接、始動入賞口１２に入賞した場合、始動入賞検出スイッチ１４が遊技球２６の始動入賞口１２への入賞を検出し、その検出信号が図示しない制御装置に送られる。この検出信号に基づいて、前記制御装置は図柄始動信号を送信し、この図柄始動信号により、図柄表示装置４において図柄の変動表示が開始される。この時、遊技球２６の始動入賞口１２への入賞を始動入賞検出スイッチ１４が検出する度に、図柄の変動・停止がそれぞれ１回ずつ行われるが、図柄の変動表示中に遊技球２６の始動入賞口１２への入賞を始動入賞検出スイッチ１５が検出した場合、保留ランプ１１が点灯し、遊技者にそのことを報知する。そして、図柄変動表示中に始動入賞検出スイッチ１５で検出された遊技球２６の数は最大４個まで記憶され、その図柄の変動・停止動作が終り次第、保留ランプの数に相当する回数分の図柄の変動・停止が順次行われる。
【００３７】
上記したように、図柄表示装置４において図柄の変動表示が開始され、所定時間経過後、左図柄５と右図柄７の図柄が揃うと前記制御装置が判断した場合、前記ランプ制御基板を介してランプ演出装置１０を点滅等させ、遊技がリーチ状態にあることを報知し、遊技者に期待感を抱かせる。
【００３８】
その後、前記制御装置は、左図柄５、中図柄６、右図柄７のすべての図柄が揃うと判断した場合、前記ランプ制御基板を介してランプ演出装置１０を点滅等させ、遊技が大当り状態にあることを報知し、通常遊技から特別遊技（大当り遊技）に移行する。
【００３９】
このように特別遊技に突入すると、大入賞口１３が開放され、遊技球２６が大入賞口１３に入賞した場合には１５球の賞球が遊技者に払い出される。大入賞口１３は、開放してから３０秒経過するか、又は１０球の入賞があるかのいずれかの事象が発生した場合に一旦閉鎖するが、大入賞口１３が開放している間に、特定領域（Ｖゾーン）への入賞があった場合には、大入賞口１３は再度開放される。そして、大入賞口１３は、最大１６回連続して開放することが可能となっており、大入賞口１３が１６回開放し終えるか、或いは大入賞口１３の開放中に前記特定領域（Ｖゾーン）への入賞を特定領域通過検出スイッチ１５が検出しなかった場合には、特別遊技は終了する。
【００４０】
なお、上記実施の形態では、回転振分け部材４３に１個の球通過孔４６と４個のポケット部４７が形成されているが、これは単なる例示に過ぎず、球通過孔４６とポケット部４７の設置数及びその設置比率は各種変更が可能である。また、回転振分け部材４３の設置数は、１個でも３個以上であってもよい。
【００４１】
また、駆動伝達機構６３を構成するギアの数は上記した個数に限定されるものではなく、回転振り分け部材４３の下方に配置された２個のギア６２ａ，６２ｂの間に、奇数個のギアが介装されてもよく、その場合には、左右の回転振分け部材４３は互いに同一方向に回転するようになる。
【００４２】
さらに、駆動伝達機構６３は、例えば、図４の駆動ギア６５、ギア６２ａ，６２ｂ，６２ｄ，６２ｉの位置にそれぞれベルト車を配置し、各ベルト車をベルトで連結し、構成させてもよく、この場合には、左右の回転振分け部材４３はそれぞれ同一方向に回転するようになる。さらにまた、駆動伝達機構６３は、ローラチェーン等の他の伝達機構、或いは、歯車とベルト、又は歯車とローラチェーンを組合せて構成させる等、各種変更が可能であり、さらに、左右の回転振分け部材４３の回転方向も自由自在に変更可能である。
【００４３】
また、左右の回転振分け部材４３は、必ずしも図４に示すような配置に限定されるものではなく、一方の球通過孔４６が遊技球２６を受け入れ可能な状態にある時に他方の球通過孔４６が遊技球２６を受け入れ不能な状態となるように設定されていればよい。
【図面の簡単な説明】
【００４４】
【図１】本発明の実施の形態における遊技盤を示す正面図である。
【図２】本発明の実施の形態における遊技盤を示す背面図である。
【図３】本発明の実施の形態に係る弾球遊技機用遊技部品を示す分解斜視図である。
【図４】本発明の実施の形態に係る弾球遊技機用遊技部品を示す分解平面図である。
【図５】本発明の実施の形態に係る弾球遊技機用遊技部品を示す平断面図である。
【図６】本発明の実施の形態に係る弾球遊技機用遊技部品を示す拡大平断面図である。
【図７】本発明の実施の形態に係る弾球遊技機用遊技部品を示す背面側断面図である。
【図８】本発明の実施の形態に係る弾球遊技機用遊技部品の作用を示す正面側断面図である。
【図９】本発明の実施の形態に係る弾球遊技機用遊技部品の作用を示す側面側断面図である。
【図１０】（ａ）及び（ｂ）は、本発明の実施の形態に係る弾球遊技機用遊技部品の作用を示す断面図である。
【符号の説明】
【００４５】
１          遊技盤
３          遊技領域
８          遊技部品
１２        始動入賞口
１９        ステージ部導入路
２３        球流路
２４        ステージ部
２６        遊技球
３０        導入路
３３        振分け手段
４３        回転振分け部材
４４        回転振分け部材駆動手段
４６        球通過孔
４７        ポケット部
４８        回転流路
４９        直線流路
５０        球落下孔
５１        排出口
６７        排出路
【図１】
0004614418.tif 000002
【図２】
0004614418.tif 000003
【図３】
0004614418.tif 000004
【図４】
0004614418.tif 000005
【図５】
0004614418.tif 000006
【図６】
0004614418.tif 000007
【図７】
0004614418.tif 000008
【図８】
0004614418.tif 000009
【図９】
0004614418.tif 000010
【図１０】
0004614418.tif 000011